(57)【要約】【課題】作業性に優れた照明装置を提供する。【解決手段】照明装置１は、下部本体３と、下部本体３から離間可能で、下部本体３を覆う上部カバー５と、上部カバー５に設けられたランプユニット４１と、前記カバー部材が前記装置本体に対して開いたときに、電源ユニットから前記電気回路への電源の供給を遮断する電気的接続部と、を有する。【選択図】図２
2015176826.tif 000002
【特許請求の範囲】
【請求項１】
装置本体と、
前記装置本体に対して開閉可能で、前記装置本体を覆うカバー部材と、
前記カバー部材若しくは前記装置本体に設けられた電気部品と、
前記カバー部材が前記装置本体に対して開いたときに、電源ユニットから前記電気回路への電源の供給を遮断する電気的接続部と、を有する照明装置。
【請求項２】
前記電気的接続部は、
前記装置本体に設けられた第１の電気的接点部と、
前記カバー部材に設けられ、前記カバー部材が前記装置本体を覆っているときに前記第１の電気的接点部との接触が生じ、前記カバー部材が前記装置本体から離間したときに前記第１の電気的接点部がとの接触が生じない位置に配置され、前記電気部品と電気的に接続された第２の電気的接点部と、
を有する請求項１に記載の照明装置。
【請求項３】
前記第１の電気的接点部と前記第２の電気的接点部は、電源線又は信号線のための接点を含む請求項２に記載の照明装置。
【請求項４】
前記電気部品は、ランプユニットであり、
前記装置本体は、前記開口部を有し、
前記ランプユニットからの照明光は、前記開口部を通して照明光を出射される請求項１から３のいずれか１つに記載の照明装置。
【請求項５】
前記カバー部材が前記装置本体を覆っているとき、前記電気部品及び前記電気的接続部が密閉された空間内に配置されるように、シール構造を有する請求項１から４のいずれか１つに記載の照明装置。
【請求項６】
前記装置本体は、支持部材に固定するための固定部を有する請求項１から５のいずれか１つに記載の照明装置。
【発明の詳細な説明】
【技術分野】
【０００１】
本発明の実施形態は、照明装置に関する。
【背景技術】
【０００２】
照明装置には、道路灯、街路灯などの様々な照明装置がある。例えば、道路灯及び街路灯は、道路面から所定の高さを有するポールの上部に取り付けられる。  
道路灯などの照明装置は、ランプ交換、メンテナンス等のときに、カバー部材を開いて、照明装置内のランプ、他の部品の交換及びチェックをすることができる構成を有している。
【０００３】
しかし、ランプ交換等の作業は、高所での作業であり、作業をスムーズに行うことが望まれている。
【先行技術文献】
【特許文献】
【０００４】
【特許文献１】特開２０１２−１０９１９５号公報
【発明の概要】
【発明が解決しようとする課題】
【０００５】
そこで、本実施形態は、作業性に優れた照明装置を提供することを目的とする。
【課題を解決するための手段】
【０００６】
実施形態の照明装置は、装置本体と、前記装置本体に対して開閉可能で、前記装置本体を覆うカバー部材と、前記カバー部材若しくは前記装置本体に設けられた電気部品と、前記カバー部材が前記装置本体に対して開いたときに、電源ユニットから前記電気回路への電源の供給を遮断する電気的接続部と、を有する。
【発明の効果】
【０００７】
本実施形態によれば、作業性に優れた照明装置を提供することができる。
【図面の簡単な説明】
【０００８】
【図１】実施形態に関わる、ポールに取り付けられて支持された照明装置１の側面図である。
【図２】実施形態に関わる、フレーム部材４に対して上部カバー５が開いた状態の照明装置１を、斜め上方向から見た斜視図である。
【図３】実施形態に関わる照明装置１の分解組み立て図である。
【図４】実施形態に関わる、谷部１９を説明するための下部本体３の部分断面図である。
【図５】実施形態に関わる、上部カバー５が開閉されたときの状態を説明するための、照明装置１の側面図である。
【図６】実施形態に関わる、上部カバー５が閉じられているときの、下部本体３の壁部３ａと、フレーム部材４の壁部４ａ１と、上部カバー５の壁部５ａの部分断面図である。
【発明を実施するための形態】
【０００９】
以下、図面を参照して実施形態を説明する。  
図１は、本実施形態に関わる、ポールに取り付けられて支持された照明装置１の側面図である。図１は、本実施形態の照明装置１を道路灯に適用した場合を示す。道路灯である照明装置１は、道路の端側に設置されたポール２の上部に取り付けられている。照明装置１は、道路を照明するように斜め下方向に照明光Lを出射するように、ポール２の上部に取り付けられている。
【００１０】
照明装置１は、３つの筐体を含み、具体的には、ポール２に固定される下部本体３と、下部本体３の上側に設けられたフレーム部材４と、フレーム部材４に対して開閉可能なカバー部材である上部カバー５とを含んで構成されている。
【００１１】
図２は、フレーム部材４に対して上部カバー５が開いた状態の照明装置１を、斜め上方向から見た斜視図である。図３は、照明装置１の分解組み立て図である。  
ポール２は、照明装置１を支持する支持部材である。ポール２の上端部は、照明装置１の下部本体３の下面の片側寄りに接続固定されている。下部本体３は、ポール２に固定するための固定部を有している。固定部は、ポール接続部材１１を有する。
【００１２】
固定部材であるポール接続部材１１は、ポール２が内挿されて嵌合するための円筒部１１ａと、円筒部１１ａの軸に対して所定の角度を持って円筒部１１ａに固定された取り付け板１１ｂとを有する。
【００１３】
図３に示すように、下部本体３は、上部が開口した略箱形の形状を有する。下部本体３は、ポール２が接続される側寄りに壁部３ａを有し、壁部３ａは、下部本体３の内側を２つの領域Ｒ１とＲ２に区分けする。
【００１４】
領域Ｒ１における下部本体３の底面部３ｂには、ポール接続部材１１の円筒部１１ａが通る孔３ｃが形成されている。  
下部本体３の内側から、ポール接続部材１１の円筒部１１ａが孔３ｃに挿入され、ポール２の上端部が、円筒部１１ａの内側に挿入されると、ポール２の先端部が、円筒部１１ａの上側に設けられた内向フランジ１１ｃに突き当たる。取り付け板１１ｂが、下部本体３の内側で螺子（図示せず）により螺子止めされて固定される。その結果、下部本体３は、ポール２に固定される。
【００１５】
ポール２の上端部が下部本体３に対してポール接続部材１１により接続され固定されることによって、ポール２は、下部本体３を支持している。以上のようにして、下部本体３は、固定部材であるポール接続部材１１によって、ポール２と接続固定されている。
【００１６】
領域Ｒ２における下部本体３の底面部３ｄには、照明光を出射する開口部３ｅが形成されている。透明カバー板１２は、底面部３ｄの開口部３ｅに、留め具１３（図２）により留められて固定されている。
【００１７】
ポール２は、道路の端側に設置されているので、照明光を出射する開口部３ｅは、道路側に位置することになる。  
領域Ｒ２における下部本体３の底面部３ｄには、通信ユニット１４、接点ユニット１５及び電源ユニット１６が固定されている。通信ユニット１４、接点ユニット１５及び電源ユニット１６は、領域Ｒ２の壁部３ａ寄りに配置される。
【００１８】
通信ユニット１４は、外部からの各種コマンド信号及び調光信号を受信し、故障情報などの状態情報を送信する回路ユニットである。  
下部本体３に設けられた接点ユニット１５は、複数の、ここでは５つの、接点１５ａを有する電気的接点部である。５つの接点のうち、２つは電源用、２つは信号用、残りはアース用の接点である。
【００１９】
電源ユニット１６は、外部からの電源を受け、照明装置１内の通信ユニット１４への電力の供給と、接点ユニット１５を介して上部カバー５のランプユニット４１への電源を供給するための回路である。
【００２０】
照明装置１への電源と信号を供給するための電源線及び信号線を含むケーブル（図示せず）は、ポール２内を通り、ポール接続部材１１の内向フランジ１１ｃの開口部から、下部本体３の領域Ｒ１内に引き出される。壁部３ａには、孔３ａ１が形成されている。
【００２１】
ケーブルは、孔３ａ１に設けられた防水コネクタ（図示せず）を介して、領域Ｒ２内に導入され、図示しない基板に接続される。電源線からの電力及び信号線からの信号は、基板を介して、通信ユニット１４、接点ユニット１５及び電源ユニット１６に供給される。
【００２２】
下部本体３は、壁部３ａと、側壁３ｆとにより囲まれて形成された凹部３ｇを有する。通信ユニット１４、接点ユニット１５及び電源ユニット１６の電気部品は、壁部３ａと３つの側壁３ｆにより形成された凹部３ｇ内に配置されている。
【００２３】
さらに、凹部３ｇの底面部３ｄは、壁部３ａに向かって傾斜する傾斜部１８を有している。  
図４は、谷部１９を説明するための下部本体３の部分断面図である。傾斜部１８は、壁部３ａに向かって下降する斜面を有する。凹部３ｇ内には、傾斜部１８と壁部３ａとの境界部に形成された谷部１９を有する。
【００２４】
図４に示すように、傾斜部１８は、壁部３ａに向かって下降している。照明装置１がポール２に取り付けられた状態においても、傾斜部１８は、壁部３ａに向かって下降する傾斜角を有している。
【００２５】
よって、凹部３ｇ内に入った水分や、凹部３ｇ内に溜まった湿気などが凝縮して出来た水分は、傾斜部１８に沿って谷部１９に流れ落ちて、谷部１９に溜まる。よって、万一、照明装置１内に入ったり、凝縮したりして出来た水分が、通信ユニット１４等の電気部品に接触することを防ぐことができる。
【００２６】
フレーム部材４は、下部本体３の上部に、符号２１で示す４箇所において螺子（図示せず）で螺子止めされて固定されている。フレーム部材４は、下部本体３の凹部３ｇの縁形状に沿った開口部４ａと、上部カバー５に設けられたラッチ部材３１が係止する突起部２２を有している。開口部４ａは、開口の縁に沿って、開口部４ａの面に直交する方向に延出するように形成された壁部４ａ１を有している。
【００２７】
通信ユニット１４、接点ユニット１５及び電源ユニット１６は、開口部４ａの内側に配置されている。フレーム部材４が下部本体３の上側で固定されており、通信ユニット１４、接点ユニット１５及び電源ユニット１６は、開口部４ａから上側に露出する。  
よって、作業者が上部カバー５を開けて、壁部４ａ１内の通信ユニット１４、接点ユニット１５及び電源ユニット１６の点検及び交換が可能となる。
【００２８】
さらに、フレーム部材４は、側面から見たときに、上側に突出した突出部４ｂを有している。突出部４ｂは、板状部４ｃを有している。フレーム部材４は、その板状部４ｃと開口部４ａの間に傾斜部４ｄを有しおり、その傾斜部４ｄに、開口部４ｅが形成されている。開口部４ｅは、上部カバー５の開閉時に、ヒンジ部を構成する２つのヒンジ部材２３が移動するための開口である。
【００２９】
各ヒンジ部材２３は、コの字形状を有する。各ヒンジ部材２３の一端が、固定部材２４に設けられた軸部材２５の軸回りに回動可能に、取り付けられる。固定部材２４は、フレーム部材４の板状部４ｃの裏側に固定される。すなわち、ヒンジ部材２３は、フレーム部材４の板状部４ｃに固定されている。
【００３０】
上部カバー５は、フレーム部材４の傾斜部４ｄと、開口部４ａを覆う形状を有する。２つのヒンジ部材２３各々の他端が、上部カバー５の下面の一端部に螺子で固定されている。よって、２つのヒンジ部材２３は、上部カバー５をフレーム部材４に対して開閉可能に、フレーム部材４と上部カバー５に固定されている。上部カバー５が閉じられたときに、上部カバー５の上側の平面部５ａとフレーム部材４の平面部４ｃが略面一となるように、２つのヒンジ部材２３は、フレーム部材４と上部カバー５に固定されている。
【００３１】
フレーム部材４は、下部本体３に固定されているので、フレーム部材４と下部本体３を、１つの装置本体とみることができる。よって、上部カバー５は、フレーム部材４に対して開閉可能に、言い換えればフレーム部材４から離間可能に、フレーム部材４あるいは装置本体を覆うように構成されている。  
また、上部カバー５の長手方向の長さは、下部本体３の長手方向の長さよりも短いので、下部本体３に比べて上部カバー５のサイズが小さくなり、上部カバー５の重量も軽くなる。
【００３２】
上部カバー５を閉じたときに留めるためのラッチ部材３１が、クランク形状の軸部材３３を有する固定具３２により、上部カバー５に取り付けられている。上部カバー５を閉じた時に、ラッチ部材３１の一部が突起部２２に係止される。作業者は、ラッチ部材３１を操作することにより、上部カバー５を開けることができる。
【００３３】
図２に示すように、上部カバー５の下面には、下側に突出するように形成された壁部５ａを有している。壁部５ａを下側から見たときの壁部５ａの形状は、フレーム部材４の壁部４ａ１を上側から見たときの壁部４ａ１の形状と、同じである。
【００３４】
上部カバー５の下面には、壁部５ａにより形成された凹部５ｂ内に、ランプユニット４１と接点ユニット４２とが設けられている。接点ユニット４２は、上部カバー５に設けられたランプユニット４１と電気的に接続されている。ランプユニット４１は、上部カバー５を閉じたときに、フレーム部材４の開口部４ａの内側に配置される。ランプユニット４１からの照明光は、下部本体３の開口部３ｅに設けられた透明カバー板１２を通して出射する。
【００３５】
ランプユニット４１は、２つの板状のランプユニット４１ａと４１ｂとからなる電気部品である。各ランプユニット４１ａ、４１ｂは、板状であり、片面に、複数のLED（Light Emitting Diode：発光ダイオード）がマトリックス状に配置されている。各ランプユニット４１ａ、４１ｂは、上部カバー５の下面に着脱可能に取り付けられている。２つのランプユニット４１ａと４１ｂの各々は、交換可能となっている。
【００３６】
上部カバー５に設けられた接点ユニット４２は、上部カバー５を閉じたときに、接点ユニット１５と接触する位置に配置される電気的接点部である。上部カバー５が閉じられると、接点ユニット１５の各接点は、接点ユニット４２の対応する接点に接触して導通する。上部カバー５が開けられると、接点ユニット１５の各接点は、接点ユニット４２の対応する接点から離間して接触しない。
【００３７】
図５は、上部カバー５が開閉されたときの状態を説明するための、照明装置１の側面図である。２点鎖線で示すように、上部カバー５が開けられているとき、接点ユニット４２は、接点ユニット１５から離間する。上部カバー５が閉じられると、接点ユニット４２と１５は接触し、電源ユニット１６からの電力が接点ユニット１５と４２を介してランプユニット４１へ供給される。
【００３８】
すなわち、接点ユニット４２は、上部カバー５に設けられ、上部カバー５がフレーム部材４を覆っているときに接点ユニット１５との接触が生じ、上部カバー５がフレーム部材４から離間したときに接点ユニット１５との接触が生じない位置に配置され、ランプユニット４１と電気的に接続された電気的接点部である。
【００３９】
そして、接点ユニット４２は、電源線及び信号線のための２以上の接点を含む。  
なお、ここでは、接点ユニット４２は、電源線と信号線のための２以上の接点を含むが、電源線又は信号線のための接点だけでもよい。
【００４０】
以上のように、照明装置１は、上部カバー５が下部本体３に対して閉じているときに、電源ユニット１６からランプユニット４１への電源の供給を行い、上部カバー５が下部本体３に対して開いたときに、電源ユニット１６からランプユニット４１への電源の供給を遮断する電気的接続部を有し、その電気的接続部は、接点ユニット１５と４２を含んでいる。
【００４１】
よって、上部カバー５を開けてランプユニット４１ａ又は４１ｂを交換するとき、ランプユニット４１ａと４１ｂに電力が供給されない状態で、作業者は、迅速にその交換を行うことができる。
【００４２】
従来は、ランプユニットへ電源を供給するための配線が、ランプユニットと電源ユニットの間に設けられていたが、上部カバーを閉じたときに、配線が上部カバーと装置本体に挟まれてしまうことがあるという問題があったが、本実施形態では、ランプユニット４１と電源ユニット１６を接続する配線がないので、配線が上部カバーとフレーム部材４の間に挟まれてしまうという問題は生じない。
【００４３】
また、上述したように、下部本体３は、壁部３ａ及び側壁３ｆにより囲まれて形成された凹部３ｇを有し、フレーム部材４は、開口部４ａの縁に沿って形成された壁部４ａ１を有し、さらに、上部カバー５は、下面に、フレーム部材４の壁部４ａ１と同じ形状の壁部５ａを有している。
【００４４】
下部本体３の壁部３ａ及び側壁３ｆと、フレーム部材４の壁部４ａ１との間には、弾性を有するシール部材が設けられている。同様に、フレーム部材４の壁部４ａ１と上部カバー５の壁部５ａとの間にも、弾性を有するシール部材が設けられている。
【００４５】
図６は、上部カバー５が閉じられているときの、下部本体３の壁部３ａと、フレーム部材４の壁部４ａ１と、上部カバー５の壁部５ａの部分断面図である。下部本体３の壁部３ａの上側の縁部と、フレーム部材４の壁部４ａ１の下側の縁部との間には、シール部材５１が接着剤などにより接着されて設けられている。シール部材５１は、下部本体３の壁部３ａの上側の縁部全体に亘って、設けられている。
【００４６】
さらに、フレーム部材４の壁部４ａ１の上側の縁部と、上部カバー５の壁部５ａの下側の縁部との間には、シール部材５２が設けられている。シール部材５１は、壁部４ａ１の上側の縁部と、上部カバー５の壁部５ａの下側の縁部のいずれか一方の全体に亘って、接着剤などにより固定されている。
【００４７】
従って、上部カバー５が閉じているとき、下部本体３の凹部３ｇと、フレーム部材４の開口部４ａと、上部カバー５の凹部５ｂにより密閉された空間が形成される。そして、その密閉された空間内に、下部本体３に設けられた通信ユニット１４等の電気部品と、上部カバー５に設けられたランプユニット４１が配置される。
【００４８】
よって、照明装置１は、フレーム部材４が固定された下部本体３に対して上部カバー５が閉じているとき、通信ユニット１４等の電気部品及びランプユニット４１等の電気部品がその密閉された空間内に配置されるようにしたシール構造を有している。
【００４９】
すなわち、電気部品は、フレーム部材４の開口部４ａで囲まれたシールされた空間内に配置されているので、上部カバー５が閉じているとき、照明装置１の下部本体３の内側の領域Ｒ１には、外部からの湿気が入り易いが、電気部品は、密閉された空間内に収納されているので、湿気の影響を受けない。
【００５０】
以上説明したように、ランプ交換作業時に、上部カバー５が開けられると、下部本体３の接点ユニット１５と、上部カバー５の接点ユニット４２は、互いに離間する。その結果、上部カバー５の電気部品への電源供給が遮断されるので、作業者は、安全に上部カバー５の電気部品、ここではランプユニット、の点検あるいは交換を行うことができる。
【００５１】
実施形態の照明装置では、従来のような開閉検知回路が不要であるため、照明装置１は、照明装置１を構成する部品点数も少なくなり、回路構成はより簡単である。  
さらに、作業において配線が下部本体３の上のフレーム部材４と上部カバー５の間に挟まれることもないので、作業性は改善される。
【００５２】
よって、本実施形態によれば、作業性に優れた照明装置を提供することができる。
【００５３】
なお、以上の例では、電気部品であるランプユニット４１は、上部カバー５に設けられているが、下部本体３に設けてもよい。その場合、ランプユニット４１又は下部本体３は、上部カバー５が閉じられたときにランプユニット４１が接点ユニット４２を介して電源の供給を受けるための接点を、有している。
【００５４】
さらに、以上の例では、電気部品である通信ユニット１４と電源ユニット１６は、下部本体３に設けられているが、上部カバー５に設けてもよい。  
また、上述した実施形態の照明装置は、道路灯を例に説明したが、実施形態の照明装置は、街路灯などの他の照明装置にも適用可能である。
【００５５】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５６】
１  照明装置、２  ポール、３  下部本体、３ａ  壁部、３ａ１  孔、３ｂ  底面部、３ｃ  孔、３ｄ  底面部、３ｅ  開口部、３ｆ  側壁、３ｇ  凹部、４  フレーム部材、４  一旦フレーム部材、４  フレーム部材、４ａ  開口部、４ａ１  壁部、４ｂ  突出部、４ｃ  板状部、４ｄ  傾斜部、４ｅ  開口部、５         上部カバー、５ａ  平面部、５ａ  壁部、５ｂ  凹部、１１  ポール接続部材、１１ａ  円筒部、１１ｂ  取り付け板、１１ｃ  内向フランジ、１２  透明カバー板、１３  留め具、１４  通信ユニット、１５  接点ユニット、１５ａ  接点、１６  電源ユニット、１８  傾斜部、１９  谷部、２２  突起部、２３  ヒンジ部材、２４  固定部材、２５  軸部材、３１  ラッチ部材、３２  固定具、３３  軸部材、４１  ランプユニット、４１ａ  ランプユニット、４１ａ  各ランプユニット、４１ａ  ランプユニット、４２  接点ユニット、４２  接点部、５１  シール部材、５２  シール部材。
【図１】
2015176826.tif 000003
【図２】
2015176826.tif 000004
【図３】
2015176826.tif 000005
【図４】
2015176826.tif 000006
【図５】
2015176826.tif 000007
【図６】
2015176826.tif 000008